(57)【要約】【課題】  熱可塑性樹脂材で成形する蒸気土壌消毒ホースにあって、蒸気温度が１００℃以上になることでホースが熱劣化し易いこと。ホース内の蒸気の流れが乱流になることによるホースの振動で亀裂が発生すること。これらによりホースを繰り返し使用することが困難になる。また、ホースの孔から土砂が入り、蒸気噴射孔が塞がれ均一な蒸気の供給条件が損なわれる。【解決手段】  一定間隔で蒸気を噴射させるスリットを設けた外周ホースと、外周ホースの蒸気流入側の一部分に挿入する帆布材のキャンバスホースと、外周ホースとキャンバスホースとの間に設け、孔を有する熱可塑性樹脂材の中間ホースからなる三重構造の蒸気土壌消毒ホースとする。【選択図】図１
2007129963.tif 000002
【特許請求の範囲】
【請求項１】
蒸気供給口に連通させ、蒸気を消毒対象の土壌に噴射させる蒸気土壌消毒ホースにおいて、長手方向に一定間隔でスリットを設けた外周ホースと、外周ホースの内側基端部分の一定長さ範囲に挿入する内周ホースと、外周ホースと内周ホースの中間にあり孔を有する中間ホースで構成し、外周ホースと中間ホースとキャンバスホースを三重構造にした状態で、蒸気供給口に結合することを特徴とする蒸気土壌消毒ホース
【請求項２】
請求項１において、外周ホースと中間ホースの材質は熱可塑性樹脂とし、内周ホースは帆布を縫製したキャンバスホースにすることを特徴とする蒸気土壌消毒ホース
【請求項３】
請求項１において、各ホース間の半径方向の間隙を５〜１０ｍｍにすることを特徴とする蒸気土壌消毒ホース
【発明の詳細な説明】
【技術分野】
【０００１】
本発明は、蒸気の熱で土壌を消毒する蒸気土壌消毒ホースに関するものである。
【背景技術】
【０００２】
農業用の土壌消毒方法の一つに、蒸気の熱で細菌や害虫や雑草の種を消毒する方法がある。土壌消毒の場合には、準備段階で土壌の畝を立てた後、土壌の上部に畝の長さに応じた蒸気噴射用のホースを敷設し、畝全体を樹脂フィルムシート等で覆い蒸気を密閉できるようにする。消毒に際しては、ボイラで発生させた蒸気をホースに導入して樹脂フィルムシート内に充満させ、主に蒸気の潜熱で土壌を加熱し消毒する。蒸気消毒に関する各設備の中で、本願に関する従来の蒸気消毒ホースに関しては、消毒が実用化され始めた時期にはキャンバスホースを使用することが多かった。しかし、網目状の生地であり蒸気が全表面から噴出するため、ホースが長くなると先端まで蒸気が供給されにくかった。
【０００３】
この改善策として、熱可塑性樹脂材のホースに一定間隔で孔を開けた例（特許文献１参照）、熱可塑性樹脂材のシートをミシンでホース状に縫製してできるミシン目等を蒸気の噴射口とすることで、単位長さ当たりの蒸気量を制限し、５０ｍ以上の長い畝の消毒を可能にした例（特許文献２参照）がある。また、ホースの基端側では蒸気の温度が高い為、この部分のホースを二重にし、消毒ホースの熱劣化を防ぐようにした例がある（特許文献３参照）。
【特許文献１】特開２００３―１１１５５０号公報
【特許文献２】特開２００３―  ４９９８０号公報
【特許文献３】特開２００３―２５９７４３号公報
【発明の開示】
【発明が解決しようとする課題】
【０００４】
さらに上記事象に鑑みて、本願が解決しようとする問題点は、ホースの穴から土砂が入るため繰り返し使用する最中に穴が塞がれ不均一な温度上昇になる場合があった。また、蒸気を流入させるホース基端側では蒸気の流速が速く、ホースが振動現象を起すことがあった。蒸気土壌消毒機の蒸気発生源に利用される事が多い貫流ボイラは、使用圧力が通常0.5Mpa程度に加圧されており、ボイラの減圧弁で圧力を大気圧付近に降下させても、ボイラから運ばれて来る蒸気温度は１２０℃付近になっている。このため加熱には有利であっても、ホース材である熱可塑性樹脂材は、広く農業用の資材として使用されている樹脂資材が主体であるため、前記温度においては樹脂が溶融したり、熱劣化により弾性が損なわれ繰り返して使用できなくなることがある。また、熱可塑性樹脂材の消毒ホースの内側一部分に別の熱可塑性樹脂ホースを設け、二重の消毒ホースにした事例もあるが、消毒ホースの基端側では高温で大流量の蒸気が高速で流れる為、内側ホースが短時間で破損することがある。破損時は高温状態での修復作業となるためやけどの危険性が高い為、高温蒸気や振動に耐えられる蒸気土壌消毒ホースが要望されている。
【課題を解決するための手段】
【０００５】
本発明は、長手方向に一定間隔でスリットを設けた外周ホースと、一定長さに切断し外周ホースの内側基端側に挿入する内周ホースと、外周ホースと内周ホースの中間にあり、孔を有する中間ホースで構成し、外周ホースと中間ホースとキャンバスホースで三重にした状態にして蒸気供給口に結合する。外周ホースと中間ホースの材質は耐熱性を有する熱可塑性樹脂とし、内周ホースは帆布を縫製したキャンバスホースにする。各ホース間の半径方向の間隙を５〜１０ｍｍにする。熱可塑性樹脂としては、ビニル重合系のものが使用でき、特にポリエチレン、ポリプロピレン、塩化ビニリデン系が適している。直接蒸気消毒性能に影響を与える外周ホースのスリットは、スリット長さは５〜１５ｍｍ、外周ホースの長さ方向で１００~２００ｍｍの間隔、周方向には２〜４ヶ所を設計標準としている。
【発明の効果】
【０００６】
本発明の蒸気土壌消毒ホースは、外周ホースの蒸気噴射口はスリット形状であるため、保管中や消毒場所に設置する作業中に土が入りにくく、蒸気噴出口の閉塞を防ぐ。内周ホースとして用いるキャンバスホースは、帆布製であるため軟質樹脂材よりも耐熱性が十分高く、全面にある織目の細孔から中間ホースと内周ホースの隙間内に安定して蒸気を供給することが出来る。この部分の蒸気供給量は消毒ホースに供給される全蒸気量の一部分であるため、中間ホースに加わる熱量は軽減される。また、中間ホースによる断熱効果により外周ホースの劣化を軽減させる。前記隙間内の圧力は、内周ホース内の蒸気圧力に追従するため、内周ホースの振動現象が緩和される。このような特性により消毒ホースの断熱性の向上及び振動現象が緩和され、長時間安定した蒸気消毒が可能となる。
【発明を実施するための最良の形態】
【０００７】
蒸気消毒する畝の上部や内部に蒸気土壌消毒ホースを敷設し、ボイラから配管を経由して蒸気を消毒ホースに供給し、外周ホースのスリットから蒸気を噴出させることで土壌を熱消毒する。畝はポリシートで覆い、蒸気を充満させることでポリシート内の土壌を熱消毒する。
【実施例１】
【０００８】
図１は、本発明の蒸気土壌消毒ホースの一実施例の部分縦断面図であり、蒸気土壌消毒ホース１は、外周ホース２、中間ホース３、およびキャンバスホース４で構成されている。図１において、蒸気土壌消毒ホース１は、蒸気の流入側にある本発明の請求範囲外の蒸気導管５に連通させる。このうち、中間ホース３とキャンバスホース４は長さを２〜３ｍとし、外周ホース２と共に三重の状態で蒸気導管５に結合させホースバンド６ａで締結する。蒸気消毒ホース１の開放側先端は、任意な方法で閉塞させる。図１では、キャップ１０を蒸気土壌消毒ホース内に挿入し、ホースバンド６ｂで締結した例を示している。図１中に示す矢印は蒸気の流れ方向を示している。キャンバスホース４や中間ホース３がある範囲では、蒸気はこれらのホースの網目や孔を通して、外周ホース２の内面に作用し、蒸気土壌ホース１を円管状に膨らませて蒸気を噴出させる。キャンバスホース４と中間ホース３がない部分では、蒸気の圧力が直接外周ホースに作用し蒸気を噴出させる。
【０００９】
図２は蒸気消毒中の畝や消毒部材の横断面図であり、畝７を消毒するため、蒸気消毒ホース１及び該ホースを構成する外周ホース２、中間ホース３、及び内周ホース４と、蒸気を封入する為の樹脂フィルムシート８、樹脂フィルムシート８の浮上を防ぐための重し９を示している。蒸気消毒ホース１から噴射される蒸気は樹脂フィルムシート８内に充満し、蒸気圧力が作用するため重し９で押さえている。噴出した蒸気は比較的温度の低い畝７に次々に衝突し、蒸気が復水時に発する潜熱で加熱する。畝７の内部温度は図示外の温度計で計測し、規定温度に到達した時点で蒸気消毒を完了させる。規定温度は平均的には、細菌、害虫、雑草の種が死滅する６０〜７０℃に設定している。
図３は蒸気消毒ホースを構成する外周ホース２、中間ホース３及び内周ホース４の部分的な外観を示すものであり、蒸気の通過口は外周ホース２では一定間隔で設けるスリット２ａ、中間ホース３では一定間隔で設ける孔３ａ、内週ホース４では帆布の織り目の隙間４ａとなる。
【００１０】
土壌消毒の最中には、外周ホース２のスリット２ａ部分より噴射される蒸気で樹脂フィルムシート１０内に蒸気が充満され、主に蒸気の潜熱で熱が土壌に伝えられ土壌消毒する。
熱可塑性樹脂材の外周ホース２の内側では、帆布を縫製したキャンバスホース４により蒸気が中間ホース３の内側に充満される。キャンバスホース４内では蒸気の流速が大きく乱流状態になるため、外周が標準状態の大気圧条件下ではホースの振動現象が発生しやすいが、本願に依ればキャンバスホース４と中間ホース３の間隙が緩衝空間となり振動の発生が抑えられる。中間ホース３を内包する部分の外周ホース２は、キャンバスホース３を通過する蒸気が少量であり、内周ホース４の先端から逆流する蒸気も比較的温度が低いため、中間ホース３に加わる熱負荷は内周ホースに比べて小さくなる。このためその外側にある外周ホース２は更に温度が軽減され、蒸気消毒ホースの長時間の使用が可能となる。
【産業上の利用可能性】
【００１１】
モントリオール国際会議の議定書を受けて、汎用性が高い農薬である臭化メチルが、平成１７年より特例を除き使えなくなった。その他の農薬も人体への影響が懸念されており、無農薬有機農法への移行が加速している。蒸気の熱で物理的に土壌消毒する技術は、３０年以上の歴史がある中、消毒機や消毒機材の未熟さから実際の消毒方法としてあまり普及して来なかった。しかし、国際会議の結果も踏まえ無農薬有機農法が広がり始めていることや、消毒機や資材の改良も進み、国の補助制度の後押しも受け蒸気土壌消毒が全国的に実用化されてきた。本願に依る蒸気土壌消毒ホースは、軽くて作業性が良い熱可塑性樹脂製であり、繰り返して消毒に使えるため汎用性が高い。
【図面の簡単な説明】
【００１２】
【図１】蒸気土壌消毒ホースの使用実施状況を示すものであり、（イ）は部分縦断面図、（ロ）は外形図である。
【図２】蒸気土壌消毒ホースの使用実施状況を示す横縦断面図である。
【図３】蒸気土壌消毒ホースの構成を示しており、（ィ）は外周ホース、（ロ）は中間ホース、（ハ）は内周ホースの部分外観図である。
【符号の説明】
【００１３】
１  蒸気土壌消毒ホース
２  外周ホース
２ａ  外周ホースのスリット
３  中間ホース
３ａ中間ホースの孔
４  内周ホース
５  蒸気導入管
６ａ  ホースバンド（蒸気導入管側）
６ｂ  ホースバンド（ホースキャップ側）
７  畝
８  ポリシート
９  重し
１０  キャップ
【図１】
2007129963.tif 000003
【図２】
2007129963.tif 000004
【図３】
2007129963.tif 000005